(57)【要約】【課題】デジタルカメラで撮影された画像データに撮影されている被写体の特定を容易にする画像処理システムを構成する。【解決手段】ストロボ光を受光した時刻と識別情報とを受光確認信号として送信する被写体特定タグＴを人物に装着し、この被写体特定タグＴから送信された受光時刻情報と、デジタルカメラＤで撮影された画像データの撮影時刻情報とが一致又は近似するものを抽出する。この抽出により被写体特定タグＴの識別情報と画像データとを関連付情報で関連付ける関連付情報を生成する。受付装置Ｃでは複数の画像データのうち被写体特定タグＴの識別情報に関連付けられたものだけをソートする形態でモニタ３３に表示することでオーダデータの取得を容易に行わせる。【選択図】図１
2010147891.tif 000002
【特許請求の範囲】
【請求項１】
デジタルカメラの撮影時に被写体に向けて送り出される光線を受ける受光素子と、受光素子で光線を受けた際に識別情報を付した受光確認信号の送信を行う送信手段とを備えている被写体特定タグ。
【請求項２】
時刻を刻むタイマーを備え、前記送信手段は、受光素子で光線を受けた際に前記受光確認信号に前記タイマーから取得した受光時刻信号を付して送信する請求項１記載の被写体特定タグ。
【請求項３】
請求項１記載の被写体特定タグから送信された受光確認信号を受信する受信手段と、時刻を刻む時刻生成部と、前記受信手段で受光確認信号を受信した際に前記時刻生成部の時刻情報に基づいた時刻を、前記受光確認信号に含まれる前記識別情報に関連付けられた受光時刻情報とすると共に、
この受光時刻情報と、デジタルカメラで撮影された各画像データの撮影時刻情報とを比較し、受光時刻情報が撮影時刻情報と一致するもの又は近似するものを抽出し、各画像データと被写体特定タグの識別情報とを関連付情報によって関連付ける関連付手段を備えている画像処理システム。
【請求項４】
請求項２記載の被写体特定タグから送信された受光確認信号を受信する受信手段と、前記受信手段で受光確認信号から識別情報に関連付けられた受光時刻情報を抽出すると共に、
この受光時刻情報と、デジタルカメラで撮影された各画像データの撮影時刻情報とを比較し、受光時刻情報が撮影時刻情報と一致するもの又は近似するものを抽出し、各画像データと被写体特定タグの識別情報とを関連付情報で関連付ける関連付手段を備えている画像処理システム。
【請求項５】
デジタルカメラで撮影された画像データを取得する画像データ取得手段と、画像データに関連付けて記録されている撮影時刻情報を取得する撮影時刻取得手段と、モニタにオーダ画面を表示するオーダ画面表示手段とを備えており、
前記オーダ画面表示手段は、前記画像データ取得手段で取得した画像データのうち、同じ識別情報に関連付けられたものを抽出してモニタに表示するソート表示モードと、前記画像データ取得手段で取得した画像データの全てをモニタに表示する一覧表示モードとの表示を行うと共に、一覧表示モードでは、識別情報が関連付けられている画像データの強調表示を行う請求項３又は４記載の画像処理システム。
【請求項６】
前記モニタに表示された画像データのうち出力対象とするものの指定と、出力数の指定とを行う入力端末を備え、この入力端末によって出力対象に指定された画像データを特定する情報と、出力数とをオーダデータとして保存するオーダデータ取得手段を備えている請求項５記載の画像処理システム。
【発明の詳細な説明】
【技術分野】
【０００１】
本発明は、被写体特定タグ及び画像処理システムに関し、詳しくは、デジタルカメラで撮影された複数の画像データから被写体が撮影されたものを特定する技術に関する。
【背景技術】
【０００２】
デジタルカメラで撮影された複数の画像データから被写体を特定する技術に関連するものとして特許文献１には、被写体としての来園者各々が無線タグを所持し、遊園地内を撮影するデジタルカメラは無線タグ等とタグＩＤを交信する機能と、撮影した撮影画像（本発明では画像データ）とタグＩＤとを画像サーバに送る機能とを有している点が示されている。端末装置においてタグＩＤを基にして撮影済み画像データからタグＩＤを持つものを読み出して画面に表示し、指定した画像のプリントの注文も受けるように構成されている。
【０００３】
つまり、特許文献１では、デジタルカメラから所定の距離の領域内に存在する被写体を撮影した場合には、撮影画像と共に被写体が所持する無線タグ等のタグＩＤが撮影画像とともに保存され、タグＩＤを指定することにより、そのタグＩＤを含む撮影画像が抽出されるため、多くの撮影画像から特定の被写体が撮影されたものを探し出す手間を軽減できるものにしている。
【０００４】
【特許文献１】特開２００５‐２１６０９２号公報  （段落番号〔０００６〕、〔０００７〕、図１〜図５）
【発明の開示】
【発明が解決しようとする課題】
【０００５】
特許文献１に記載されたように遊園地に限らず、学校の行事、会社の行事、個人的なパーティのように多くの人物が撮影される環境にあっては、デジタルカメラで撮影された画像データ毎に、その画像データに撮影されている人物を特定できることが、プリントの注文を受けることや、プリントされた画像データの仕分けを容易にする。
【０００６】
そこで、特許文献１に記載されるように、被写体となる人物が無線タグ等を所持し、デジタルカメラの近傍の人物が所持する無線タグ等のタグＩＤをデジタルカメラが取得するものでは、撮影時にカメラに背を向けている人物や、カメラの撮影領域から大きく外れた位置に存在する人物のタグＩＤも取得することになる。従って、タグＩＤから撮影画像をソートした場合には、背を向けた状態で撮影された撮影画像や、画像中に含まれない撮影画像も抽出されることになり、必要とする撮影画像を選択する際に時間が掛かるものとなり改善の余地がある。
【０００７】
また、特許文献１のようにタグＩＤを取得し、撮影画像をサーバに伝送するデジタルカメラは、市販されているデジタルカメラをそのまま使用できず、タグＩＤを受信するため機能を付加する改造や、サーバに撮影画像を伝送するための装置類をカメラの外部に備える等の対応が必要となるばかりか、システムが複雑化しやすく、これらの点において改善の余地がある。
【０００８】
本発明の目的は、デジタルカメラで撮影された画像データに撮影されている被写体の特定を容易にする被写体特定タグ及び画像処理システムを合理的に構成する点にある。
【課題を解決するための手段】
【０００９】
本発明の特徴は、デジタルカメラの撮影時に被写体に向けて送り出される光線を受ける受光素子と、受光素子で光線を受けた際に識別情報を付した受光確認信号の送信を行う送信手段とを備えている点にある。
【００１０】
この構成によると、デジタルカメラで被写体を撮影する際に可視光を発光させるストロボや、赤外光を発光させるストロボが用いられた場合には、ストロボからの光線を受ける範囲に存在する被写体の受光素子が光線を受ける。そして、光線を受けた際に識別情報を付した受光確認信号を送信する。特に、この被写体特定タグを被写体特定の胸や襟元に備えておくと、人物の顔がデジタルカメラに向かう姿勢にある状態で受光素子がストロボからの光線を受けることになる。また、デジタルカメラでは、撮影したタイミングで受光確認信号を受信することも可能となり、画像データ毎に被写体を特定することが可能となる。このように、デジタルカメラで撮影された画像データに撮影されている被写体の特定を容易にする被写体特定タグが構成された。
【００１１】
本発明は、時刻を刻むタイマーを備え、前記送信手段は、受光素子で光線を受けた際に前記受光確認信号に前記タイマーから取得した受光時刻信号を付して送信しても良い。これによると、撮影時に受信した受光確認信号の受光時刻情報と、デジタルカメラで撮影された画像データに保存される撮影時刻情報と対比させることで、各画像データに対応する被写体特定タグの特定、つまり、被写体特定タグを着けた人物が撮影されている画像データの指定を容易に行える。
【００１２】
本発明の特徴は、請求項１記載の被写体特定タグから送信された受光確認信号を受信する受信手段と、時刻を刻む時刻生成部と、前記受信手段で受光確認信号を受信した際に前記時刻生成部の時刻情報に基づいた時刻を、前記受光確認信号に含まれる前記識別情報に関連付けられた受光時刻情報とすると共に、この受光時刻情報と、デジタルカメラで撮影された各画像データの撮影時刻情報とを比較し、受光時刻情報が撮影時刻情報と一致するもの又は近似するものを抽出し、各画像データと被写体特定タグの識別情報とを関連付情報によって関連付ける関連付手段を備えても良い。
【００１３】
この構成によると、受光確認信号を受信した際には時刻生成部からの時刻情報に基づいて識別情報に関連付けられた受光時刻情報が生成され、この受光時刻情報と、デジタルカメラで撮影された画像データの撮影時刻情報とを比較することで、被写体特定タグの識別情報と受光時刻情報とを関連付けることが可能となる。従って、デジタルカメラで撮影された画像データに撮影されている被写体の特定を容易にする画像処理システムが構成された。
【００１４】
本発明の特徴は、請求項２記載の被写体特定タグから送信された受光確認信号を受信する受信手段と、前記受信手段で受光確認信号から識別情報に関連付けられた受光時刻情報を抽出すると共に、この受光時刻情報と、デジタルカメラで撮影された各画像データの撮影時刻情報とを比較し、受光時刻情報が撮影時刻情報と一致するもの又は近似するものを抽出し、各画像データと被写体特定タグの識別情報とを関連付情報で関連付ける関連付手段を備えても良い。
【００１５】
この構成によると、受信した受光確認信号から抽出した受光時刻情報と、デジタルカメラで撮影された画像データの撮影時刻情報と比較することで、被写体特定タグの識別情報とを関連付けることが可能となる。従って、デジタルカメラで撮影された画像データに撮影されている被写体の特定を容易にする画像処理システムが構成された。
【００１６】
本発明は、デジタルカメラで撮影された画像データを取得する画像データ取得手段と、画像データに関連付けて記録されている撮影時刻情報を取得する撮影時刻取得手段と、モニタにオーダ画面を表示するオーダ画面表示手段とを備えており、前記オーダ画面表示手段は、前記画像データ取得手段で取得した画像データのうち、同じ識別情報に関連付けられたものを抽出してモニタに表示するソート表示モードと、前記画像データ取得手段で取得した画像データの全てをモニタに表示する一覧表示モードとの表示を行うと共に、一覧表示モードでは、識別情報が関連付けられている画像データの強調表示を行っても良い。
【００１７】
この構成によると、ソート表示モードでは、被写体としての人物が撮影されている画像データだけをオーダ画面に表示でき、一覧表示モードではオーダ画面に全ての画像データの表示が可能になると共に、表示された画像データのうち被写体としての人物が撮影されている可能性のあるものを強調表示に基づいて把握できる。
【００１８】
本発明は、前記モニタに表示された画像データのうち出力対象とするものの指定と、出力数の指定とを行う入力端末を備え、この入力端末によって出力対象に指定された画像データを特定する情報と、出力数とをオーダデータとして保存するオーダデータ取得手段を備えても良い。これによると、モニタに表示された画像データを出力対象に指定し、プリント枚数等の出力数も設定できる。
【発明を実施するための最良の形態】
【００１９】
以下、本発明の実施形態を図面に基づいて説明する。
〔基本構成〕
図１に示すように、被写体としての複数の人物Ａに装着される被写体特定タグＴが用いられると共に、この被写体特定タグＴの情報の調整と、被写体特定タグＴからの電波信号の処理と、デジタルカメラＤで撮影された画像データの取得とを行う処理端末Ｂを備え、この処理端末Ｂから伝送された画像データを取得し、この各画像データのうち、被写体特定タグＴの識別情報で特定される人物Ａが撮影されているものをオーダ画面（図７を参照）に表示する形態でオーダを受ける受付装置Ｃを備えて画像処理システムが構成されている。
【００２０】
処理端末Ｂと、２台の受付装置Ｃとは通信ネットワークＬで接続されている。通信ネットワークＬは、情報を物理的に送るケーブル１と、ＬＡＮスイッチやハブ等で成る中継器２を備えたＣＳＭＡ／ＣＤ（Carrier Sense Multiple Access with Collision Detection）方式のイーサネット（Ethernet）（商標）型のＬＡＮとして構築されている。尚、受付装置Ｃは１台だけでも良く、３台以上でも良い。通信ネットワークＬは、インターネットの技術を用いたイントラネットで構築して良く、無線ＬＡＮの技術によりケーブルを用いずに構築しても良い。
【００２１】
図面には示していないが、受付装置Ｃでオーダを受付けた後には、オーダデータに基づきプリント装置（図示せず）において印画紙等のプリント媒体に画像データをプリントする処理や、ディスクライタ（図示せず）においてＣＤ−Ｒ等のメディアに画像データを書き込み電子アルバムを作成する処理等の出力処理が実現する。
【００２２】
この画像処理システムは、結婚式やパーティ、あるいは、学校や会社のイベントにおいて、識別情報や人物Ａの名前を付与した被写体特定タグＴを人物Ａの人数の数だけ準備し、夫々の被写体特定タグＴを、被写体としての人物Ａの胸のポケットや襟元に装着して撮影が行われる。撮影にはストロボ発光器Ｄｓを備えたデジタルカメラＤが使用され、人物Ａを撮影した場合には、撮影された人物Ａの被写体特定タグＴが撮影時ストロボ光を受光する毎に識別情報を付した受光確認信号を電波で送信する。
【００２３】
つまり、撮影時にデジタルカメラＤのストロボ光を受光する領域に人物Ａが存在し、かつ、その人物ＡがデジタルカメラＤの方向に向かう姿勢にある場合にのみ、被写体特定タグＴがストロボ光を受光する。この受光が行われた被写体特定タグＴが識別情報を付した受光確認信号を送信し、この受光確認信号を受信した処理端末Ｂは受光確認信号から受光時刻テーブルを生成する。尚、この受光時刻テーブルは、受光確認信号を送信した被写体特定タグＴの数に等しい数が生成される。
【００２４】
この後、処理端末ＢがデジタルカメラＤの画像データを取得した場合には、画像データのＥｘｉｆ情報から撮影時刻情報を取得して撮影時刻テーブルを作成し、この撮影時刻テーブルと受光時刻テーブルとに基づいて関連付情報を生成し、画像データと共に受付装置Ｃに伝送される。また、前述したように受光時刻テーブルが複数生成されているので、関連付情報も複数生成される。
【００２５】
受付装置Ｃでは、被写体特定タグＴから識別情報を取得した場合には、この識別情報に対応した関連付情報を抽出し、抽出した関連付情報に基づいて画像データ毎に撮影されている人物を特定して受付装置Ｃのモニタ３３に識別可能に表示する。これにより、この画像処理システムでは、受付装置Ｃを操作するユーザは、自分が撮影されていない画像データを無駄にチェックする必要がなく能率的に写真プリントの注文や、電子アルバムの注文を行える。
【００２６】
この画像処理システムでは、画像データのＥｘｉｆ情報から撮影時刻情報を取得するように処理形態が設定されているが、必ずしもＥｘｉｆ情報を用いる必要はなく、例えば、デジタルカメラＤにおいて撮影が行われる毎に撮影時刻情報を保存する処理を行うための回路等を備え、これらから撮影時刻情報を取得できるように構成しても良い。
【００２７】
この画像処理システムでは、被写体特定タグＴを人物の正面側に装着するので、撮影時にデジタルカメラＤに背を向けた姿勢にある場合には、画像データに人物が撮影されているものの、撮影されていない状態と同様に扱われる。
【００２８】
デジタルカメラＤに備えられるストロボ発光器Ｄｓの照射領域は、デジタルカメラＤのレンズの撮影領域と一致することが理想であるものの、このストロボ光の照射領域は撮影領域より少し広いのが普通である。従って、撮影時刻情報と受光時刻情報とに基づいて画像データ毎に撮影されている人物を特定した場合には、その人物が撮影されていない画像データが受付装置Ｃに表示されることになる。このような場合には、その人物が撮影の有無を、その人物（ユーザ）が判断することで対応できる。
【００２９】
この画像処理システムは、可視光領域のストロボ光を受光することで受光時刻を保存する被写体特定タグＴを用いるものであるが、例えば、赤外光領域のストロボ光を受光した際に受光時刻を保存する被写体特定タグＴを用いると共に、赤外光を発光するストロボ発光器Ｄｓを用いて撮影を行うことにより、屋外や充分な明るさの室内で撮影時にストロボ発光器Ｄｓによる過剰な照明を回避できるように構成することも可能である。
【００３０】
〔被写体特定タグ〕
被写体特定タグＴは、図３（ａ）、（ｂ）に示すように胸のポケットや襟に装着するためのクリップ５を裏面に備えたカード状のタグ本体１０を有している。タグ本体１０には、図２に示すように受光素子Ｓと、トリガー回路１１と、情報送信部１２と、送信回路１３と、タイマー１４と、メモリ１５と、入出力制御回路１６と、タイマー調整部１７、識別情報編集部１８とを備えている。また、この被写体特定タグＴは、電池（図示せず）を内蔵しており、マイクロプロセッサによって制御される。表面側には、数字で成る識別情報（図面ではＩＤと表記）が数字でプリントされている。
【００３１】
この被写体特定タグＴは、必ずしもクリップ５を備える必要はなく、安全ピンで衣服に装着するものでも、粘着テープ等で衣服に粘着するものでも良い。また、ネックレスやイヤリング、ピアスのよう体に着ける形態で使用するものでも良い。
【００３２】
受光素子Ｓは、フォトダイオードやフォトトランジスタ等で構成されている。尚、赤外光を用いる場合には、赤外光を感知する受光素子Ｓが用いられ、赤外光を透過する光学フィルタが用いられる。トリガー回路１１は、受光素子Ｓから短時間のうちに設定値を超える光量の受光信号を受光した場合に制御信号を出力する。情報送信部１２は送信手段として機能するものでありトリガー回路１１からの制御信号を取得したタイミングでタイマー１４から取得した受光時刻情報と、メモリ１５から取得した識別情報とを送信回路１３のアンテナ１３Ａから電波によって送信する。
【００３３】
タイマー１４は、水晶発振子、カウンター、デコーダ等を備えることにより年月日時刻（時刻は時間・分・秒の単位）の情報を継続的に刻むように構成されている。メモリ１５は、ＥＥＰＲＯＭ型の不揮発性のものが用いられ、識別情報を保存する。
【００３４】
入出力制御回路１６は、アンテナ１６Ａを介して無接触式に情報の送受信を行う。タイマー調整部１７は、入出力制御回路１６を介して取得した情報に基づいてタイマー１４の調整を行う。識別情報編集部１８は、入出力制御回路１６を介して取得した情報に基づいて識別情報の編集を行う。
【００３５】
被写体特定タグＴでは、情報送信部１２と、タイマー調整部１７と、識別情報編集部１８とがソフトウエアで構成され、このソフトウエアはマイクロプロセッサで実行される。尚、被写体特定タグＴでは、情報送信部１２と、タイマー調整部１７と識別情報編集部１８とをソフトウエアとハードウエアとの組み合わせで構成して良く、ハードウエアのみによって構成しても良い。
【００３６】
被写体特定タグＴは、トリガー回路１１からの制御信号を情報送信部１２が取得する毎に、この情報送信部１２がタイマー１４から時刻情報を取得し、かつ、メモリ１５から識別情報を取得して送信回路１３から受光確認信号として電波によって送信する。この画像処理システムでは複数の被写体特定タグＴを用いるものであり、処理端末Ｂでの受信を誤りなく行うため送信回路１３に遅延回路を備え、遅延時間を被写体特定タグＴ毎に異ならせることにより、電波を送信するタイミングを被写体特定タグＴ毎に僅かずつ異ならせている。尚、複数の被写体特定タグＴから受光確認信号を誤りなく受信するように各被写体特定タグＴの電波の周波数を少し異ならせても良い。
【００３７】
更に、タイマー調整部１７は、入出力制御回路１６を介して取得した情報に基づいてタイマー１４の年月日時刻（時刻は時間・分・秒の単位）の情報の再設定や調整を行う。識別情報編集部１８は、入出力制御回路１６を介して取得した情報に基づいてメモリ１５に保存されている識別情報に人物の名前を付加することや、識別情報を変更する等の処理を行う。
【００３８】
〔処理端末・受付装置〕
処理端末Ｂは、図１に示すようにマイクロプロセッサを備えたコンピュータ本体２１と、情報を表示するディスプレイ２２と、情報入力端末として機能するキーボード２３と、ポインティングデバイスとして機能するマウス２４と、被写体特定タグＴとの間で情報のアクセスを行うカードリーダ２５と、被写体特定タグＴから送信される受光確認信号を受信する受信手段として機能する受信機２６とを備えている。コンピュータ本体２１にはデジタルカメラＤで撮影に使用された半導体型のメディアＭから画像データを取得するメディアドライブ２１Ａを備えている。
【００３９】
受付装置Ｃは、筐体３１と、筐体３１の外部において被写体特定タグＴとの間で情報のアクセスを行うカードリーダ３２とを備えると共に、筐体３１の上部に液晶型のモニタ３３を備え、筐体３１の前面側に引換証プリンタ３４を備え、内部に制御ユニット３５を備えている。モニタ３３の表示面には入力端末として機能するタッチパネル３３Ａが形成され、引換証プリンタ３４は引換証Ｒをプリントする。
【００４０】
この受付装置Ｃは、筐体３１の内部に制御ユニット３５を備えており、この制御ユニット３５は、モニタ３３に表示された画像やアイコンに指等を接触させる等の操作を行うことにより、その操作をタッチパネル３３Ａを介して取得し、プリントサイズの情報、プリント対象となる画像データを特定する情報（コマ番号）、プリント枚数等のオーダデータをＧＵＩ式に取得できるように構成されている。
【００４１】
処理端末Ｂと受付装置Ｃとにおける情報処理系の概要を図４に示している。処理端末Ｂのコンピュータ本体２１には、マイクロプロセッサＣＰＵに信号のアクセスを行う入出力インタフェース４１を備えており、この入出力インタフェース４１に対して、受信機２６、ディスプレイ２２、キーボード２３、マウス２４、メディアドライブ２１Ａ、カードリーダ２５夫々が接続すると共に、通信ユニット４２が接続している。
【００４２】
ＣＰＵのデータバスには、タグ調整手段４３、受信情報処理手段４４、受光時刻テーブル生成手段４５、画像データ保存手段４６、撮影時刻テーブル生成手段４７、関連付手段４８、伝送処理手段４９夫々が接続すると共に、ハードディスク５０が接続している。図面には示していないが、この情報処理系ではＣＰＵのデータバスに半導体メモリが接続しており、オペレーティングシステムが制御を管理する。
【００４３】
受付装置Ｃの制御ユニット３５には、マイクロプロセッサＣＰＵに信号のアクセスを行う入出力インタフェース５１を備えており、この入出力インタフェース５１に対してモニタ３３、タッチパネル３３Ａ、引換証プリンタ３４、カードリーダ３２が接続すると共に、通信ユニット５２が接続している。
【００４４】
ＣＰＵのデータバスには、カード情報取得手段５３、画像データ取得手段５４、関連付情報取得手段５５、オーダ画面表示手段５６、オーダデータ取得手段５７夫々が接続すると共に、ハードディスク５８が接続している。図面には示していないが、この制御ユニット３５では、ＣＰＵのデータバスに半導体メモリが接続しており、オペレーティングシステムが制御を管理する。
【００４５】
タグ調整手段４３は、カードリーダ２５から被写体特定タグＴに制御コードを伝送することにより、被写体特定タグＴのタイマー１４の時刻情報を適正にすると共に、被写体特定タグＴのメモリ１５に保存されている識別情報をユニークで任意の値や名前等の文字情報に変更することや、識別情報に名前を付加する形態で記憶する処理を行う。
【００４６】
受信情報処理手段４４は、受信機２６を介して受光確認信号を受信する毎に、受光確認信号に含まれる（関連付けられた）識別情報と受光時刻情報とを取得する。受光時刻テーブル生成手段４５は、識別情報と受光時刻情報とを関連付けた受光時刻テーブルを生成する。尚、この受光時刻テーブルは、識別情報をファイル名にしたＣＳＶ等のデータ構造のファイルであり、受信した識別情報の種類に対応した数だけ生成される。
【００４７】
画像データ保存手段４６は、デジタルカメラＤにおいて撮影に使用されたメディアＭに保存されている画像データをメディアドライブ２１Ａを介して取り込み、ハードディスク５０に保存する。撮影時刻テーブル生成手段４７は、各画像データのファイルのヘッダー領域に保存されているＥｘｉｆ情報から撮影時刻情報を取得する撮影時刻取得手段として機能する。この画像データ保存手段４６、撮影時刻情報と、撮影時刻テーブルとから、撮影時刻情報で示される時刻に撮影された画像データのコマ番号（画像データのファイルに与えられた番号）とを関連付けた撮影時刻テーブルを生成する。
【００４８】
関連付手段４８は、受光時刻テーブルの受光時刻情報と撮影時刻テーブルの撮影時刻情報とを対比させ、受光時刻情報と一致又は近似する撮影時刻情報の画像データを抽出し、その識別情報を、その画像データのコマ番号に関連付ける関連付情報を生成する。この処理は、受光時刻テーブルの数だけ行われることから、複数の関連付情報が生成され、夫々の関連付情報には受光時刻テーブルの識別情報（ファイル名）と同じ識別情報が付される。
【００４９】
伝送処理手段４９は、ハードディスク５０に保存されている画像データと、複数の関連付情報とを制御ユニット３５に伝送する。
【００５０】
カード情報取得手段５３は、識別情報取得手段として機能するものであり、カードリーダ３２を介して被写体特定タグＴのメモリ１５に保存されている識別情報を取得する。このカード情報取得手段５３は、被写体特定タグＴに設定されている識別情報（ＩＤ）がタッチパネル３３Ａを介して入力された場合にも、その識別情報を取得する。
【００５１】
画像データ取得手段５４は、処理端末Ｂで取得した画像データが通信ネットワークＬにより伝送された場合に、その画像データをハードディスク５８に保持する。関連付情報取得手段５５は、複数の関連付情報を取得してハードディスク５８に保存する。
【００５２】
オーダ画面表示手段５６は、図７に示すオーダ画面６０をモニタ３３に表示する。このオーダデータ取得手段５７は、タッチパネル３３Ａに対する操作からオーダデータを取得する。また、オーダ画面表示手段５６は、オーダ画面６０に対して識別情報に関連付けられた画像データのみを表示するソート表示モードでの表示、又は、図８に示すように、全ての画像データを表示可能にすると共に、表示された画像データに識別情報（オーダを行うユーザの識別情報）が関連付けられている場合には、その画像データを強調表示する一覧表示モードでの表示を行う。
【００５３】
タグ調整手段４３、受信情報処理手段４４、受光時刻テーブル生成手段４５、画像データ保存手段４６、撮影時刻テーブル生成手段４７、関連付手段４８、伝送処理手段４９、及び、カード情報取得手段５３、画像データ取得手段５４、関連付情報取得手段５５、オーダ画面表示手段５６、オーダデータ取得手段５７は、ソフトウエアで構成されるものであるが、例えば、ソフトウエアとハードウエアとの組み合わせで構成して良く、ハードウエアのみによって構成しても良い。
【００５４】
〔処理の流れ〕
本発明の画像処理システムにおける処理の流れの概要を図６のフローチャートに示し、情報の流れを図５のように示すことが可能である。この処理の流れでは、結婚式やパーティにおいてカメラマンがデジタルカメラＤで式場内や会場の人物Ａを撮影し、カメラマンが撮影した画像データから、その会場の人物Ａがユーザとしてプリントすべき画像データをオーダするまでの処理の流れが示されている。
【００５５】
つまり、会場に招かれている人物の人数に対応する数の被写体特定タグＴが準備され、デジタルカメラＤのクロックの時刻を適正に調整すると共に、複数の被写体特定タグＴのタイマー１４の時刻を適正に調整し、更に、被写体特定タグＴを装着する人物の名前を、その被写体特定タグＴに付与（記憶）する（＃０１ステップ）。
【００５６】
この処理では、デジタルカメラＤのクロックの時刻を適正にする調整はデジタルカメラＤを直接操作することになる。
【００５７】
被写体特定タグＴのタイマー１４を調整する際には、処理端末Ｂにおいてカードリーダ２５に被写体特定タグＴをセットした状態で、コンピュータ本体２１で所定の操作を行うことにより、タグ調整手段４３が時刻情報と制御コードとを被写体特定タグＴに伝送する。被写体特定タグＴではアンテナ１６Ａを介して入出力制御回路１６が時刻情報と制御コードとを受信し、タイマー調整部１７がタイマー１４の時刻情報を書き換える処理を行う。
【００５８】
これ同様に、被写体特定タグＴに人物Ａの名前を記憶する際には、処理端末Ｂにおいてカードリーダ２５に被写体特定タグＴをセットした状態で、コンピュータ本体２１で所定の操作を行うことにより、タグ調整手段４３が人物Ａの名前と制御コードとを人物Ａの名前を被写体特定タグＴに伝送する。被写体特定タグＴではアンテナ１６Ａを介して入出力制御回路１６が名前の情報と制御情報とを受信し、識別情報編集部１８はメモリ１５に記憶されている被写体特定タグＴの固有の識別情報に対して、人物Ａの名前を記憶する処理を行う。
【００５９】
尚、被写体特定タグＴに人物Ａの名前を記憶する処理は必ずしも行う必要のないものであるが、被写体特定タグＴに名前を記憶することで、受付装置Ｃにおいてオーダを行う人物の名前をオーダ画面６０（図７を参照）に表示することが可能となる。また、人物の名前を付するためには会場等に集まる人物Ａの名前を名簿等により予め取得しておくことが効率的であるが、会場に人物が入場する際に名前を訊き、その名前を被写体特定タグＴに付与する処理を行っても良い。
【００６０】
このように名前が与えられた被写体特定タグＴは、会場に入室する際に、人物Ａの名前を確認して手渡され、その人物Ａのジャケットのポケットや、襟元にクリップ５により、受光素子Ｓが人物Ａの前方に向かうように装着される（＃０２ステップ）。
【００６１】
この後、カメラマンがデジタルカメラＤで撮影を行う。特に、撮影が行われる（シャッターが切られる）毎に撮影領域に存在する人物Ａの被写体特定タグＴの受光素子Ｓがストロボ光を受光する。この受光時にはトリガー回路１１からの制御信号により情報送信部１２がタイマー１４から時刻情報を取得し、この時刻情報とメモリ１５の識別情報とを送信回路１３から送信する（＃０３、＃０４ステップ）。
【００６２】
この受光確認信号を受信機２６が受信した場合には、処理端末Ｂでは、受信した識別情報の数に対応した数の受光時刻テーブルが生成される。尚、市販されているデジタルカメラＤでは撮影に伴いメディアＭに記録される画像データのヘッダー領域にＥｘｉｆ情報が保存され、このＥｘｉｆ情報には撮影日時、撮影時のシャッター速度、レンズの絞り値（Ｆ値）、ストロボ発光器Ｄｓの使用の有無等の情報が書き込まれる。
【００６３】
この処理では、受信機２６で受信した受光確認信号を受信情報処理手段４４が取得し、受光確認信号から識別情報と受光時刻情報とを抽出し、その識別情報の受光時刻テーブルのファイルが既に存在する場合には、そのファイルに受光時刻情報を付加し、その識別情報の受光時刻テーブルのファイルが存在しない場合には、識別情報をファイル名とするファイルを新たに生成し、そのファイルに受光時刻情報を書き込むことになる。尚、このファイルにおいて時刻情報はＣＳＶ等の簡便なデータ構造で書き込まれることになる。
【００６４】
撮影が終了すると、デジタルカメラＤで撮影に使用されたメディアＭを処理端末Ｂのコンピュータ本体２１のメディアドライブ２１Ａにセットして画像データを取得する（＃０５、＃０６ステップ）。
【００６５】
コンピュータ本体２１では、画像データ保存手段４６が画像データをハードディスク５０に保存すると同時に、各画像データのヘッダー領域に保存されているＥｘｉｆ情報を取得する。撮影時刻テーブル生成手段４７は、取得したＥｘｉｆ情報から撮影時刻情報を抽出し、撮影時刻情報と、その時刻に撮影された画像データのコマ番号（例えば、画像データのファイル番号等）とを関連付けた撮影時刻テーブルを生成する。この撮影時刻テーブルは、各画像データのコマ番号と、その画像データが撮影された時刻とを関連付けるファイルとして生成される。
【００６６】
撮影時刻テーブルが生成されると、撮影時刻テーブルと複数の受光時刻テーブルとから複数の関連付情報を作成し、この複数の関連付情報と、画像データとは通信ネットワークＬを介して各受付装置Ｃに伝送される（＃０７ステップ）。
【００６７】
この処理では、受光時刻テーブルの複数の受光時刻情報と、複数の撮影時刻情報とを比較し、一致するもの、又は、近似するものを特定して関連付情報を生成する。関連付情報には受光時刻テーブルの識別情報をファイル名としたファイルとして作成される。この関連付情報では、画像データのコマ番号（例えば、画像データのファイル番号等）と、識別情報とを関連付けるデータ構造となる。この処理を受光時刻テーブルの数だけ行われ、受光時刻テーブルの数の関連付情報が生成されることになる。
【００６８】
このように関連付けを行う際に、受光時刻情報と撮影時刻情報との間に誤差が存在する場合、この誤差は、識別情報の受光時刻情報と撮影時刻情報との間で同じ値をとるため、例えば、連続した撮影が行われた場合のように撮影時刻情報の間隔が短い場合でも、受光時刻情報に対してその識別情報固有の誤差の値を反映させて対比を行うことで正確に撮影時刻情報に関連付ける情報を生成することが可能となる。
【００６９】
また、複数の関連付情報と画像データとが伝送されることにより、複数の関連付情報は関連付情報取得手段５５が取得し、画像データは画像データ取得手段５４が取得し、ハードディスク５８に保存する。
【００７０】
この後、ユーザ（撮影された人物Ａ）が被写体特定タグＴを受付装置Ｃのカードリーダ３２に接近させ、このカードリーダ３２が被写体特定タグＴとアクセス可能な状態に達すると、カード情報取得手段５３が識別情報を要求し、処理端末Ｂのカード情報取得手段５３は識別情報を取得する（＃０８、＃０９ステップ）。
【００７１】
カード情報取得手段５３は、ユーザがモニタ３３のタッチパネル３３Ａを操作し、被写体特定タグＴに設定されている識別情報（ＩＤ）を入力した場合にも、入力された識別情報を取得する処理を行う。このように取得した識別情報は関連付情報取得手段５５に与えられると共に、オーダ画面表示手段５６に与えられる。関連付情報取得手段５５は、複数の関連付情報から識別情報と同じ識別情報が付された（同じファイル名の）関連付情報を抽出してオーダ画面表示手段５６に与える。また、画像データ取得手段５４で取得した画像データもオーダ画面表示手段５６に与えられる。
【００７２】
これにより、モニタ３３には図７に示すオーダ画面６０が表示され、識別情報に対応した画像データを表示し、オーダデータの取得が可能となる（＃１０〜＃１２ステップ）。
【００７３】
オーダ画面６０は、中央部に複数の画像データのサムネイル画像を一覧化して表示する画像表示部６１と、プリント枚数を表示する枚数表示部６２と、プリント枚数を増減する枚数変更ボタン６３とが形成されている。また、画像表示部６１の下側には、ページを切換える形態で複数の画像表示部６１のサムネイル画像を切り換えて表示するページ切換ボタン６４が配置されている。
【００７４】
更に、オーダ画面６０の下段位置には、処理の中止のための操作と、前の処理に戻るための操作と、処理を完了する操作とを実現する３種の制御ボタン６５が形成され、この制御ボタン６５に隣接する位置にプリントサイズ、プリントの合計枚数、プリント料金の合計金額を表示する情報表示部６６が形成され、この近傍位置に全ての画像データのプリント枚数を増減する増減ボタン６７と、表示モード選択ボタン６８とが形成されている。
【００７５】
このように受付装置Ｃのカードリーダ３２に対して、被写体特定タグＴを接近させて情報のアクセスを行うことで識別情報が取得された場合、あるいは、ユーザが識別情報をタッチパネル３３Ａを介して入力した場合には、その人物が撮影されている画像データが抽出され、ソート表示モードでオーダ画面６０に表示される。この表示から必要とするものをユーザが選択することでオーダデータが取得される。
【００７６】
また、このオーダ画面６０の上端には、タイトルとしてユーザの名前と、そのユーザが撮影されている可能性が高いものを表示している旨のメッセージが表示される。そして、表示モード選択ボタン６８を選択した場合には、一覧表示モードでオーダ画面６０が表示される。このオーダ画面６０は、ページ切換ボタン６４を操作することにより、カメラマンが撮影した全ての画像データを表示することが可能となる。特に、この表示が行われる際には、オーダ画面６０のタイトルとして、ユーザの名前と、そのユーザが撮影されている可能性が高いものについて周囲を強調表示している旨のメッセージが表示される。
【００７７】
強調表示の形態として、画像表示部６１の周囲のフレーム部Ｆを、ユーザが撮影されていないものより明るい明度にすること、異なる色相にすること、あるいは、ブリンクさせること等が選択される。また、強調表示の別形態として、画像データの近傍にアイコンを表示することや、メッセージを表示しても良い。
【００７８】
このように取得されたオーダデータに基づきプリント装置でプリント媒体に画像データのプリントを行うプリント処理が実現する。また、オーダデータとして画像データをＣＤ−Ｒ等のメディアに書き込むことで電子アルバムを作成する処理も可能となる。
【００７９】
また、前述した受付装置Ｃでは、プリント料金を表示するものであるが、結婚式場のようにプリント料金を請求しない環境に設置される場合には、プリント料金を表示する必要はない。
【００８０】
〔被写体特定タグ及びコンピュータ本体の処理系の別実施形〕
本発明では、図９に示す如く、タイマーを備えない被写体特定タグＴを構成し、コンピュータ本体２１を図１０に示すように構成することも可能である。この被写体特定タグＴはカード状のタグ本体１０（図示せず）にクリップ５（図示せず）を備えた点は先に説明した実施形態と同じである。また、タグ本体１０には、受光素子Ｓと、トリガー回路１１と、情報送信部１２と、送信回路１３と、メモリ１５と、入出力制御回路１６と、識別情報編集部１８とを備えている。
【００８１】
このような構成であるため、受光時には受光確認信号として識別情報だけをアンテナ１３Ａから送信する。これに対応するため、コンピュータ本体２１にはタイマーで成る時刻生成部４４Ｔを備え、受信情報処理手段４４は時刻生成部４４Ｔからの時刻情報の取得が可能に構成され、受光確認信号を受信した場合には、識別情報に対して時刻生成部４４Ｔから取得した受光時刻を付加する（関連付けの一形態）ことで受光時刻テーブルを生成する。
【００８２】
前述したように送信回路１３において電波を送信するタイミングを被写体特定タグＴ毎に僅かずつ異ならせているものでは、識別情報に基づいて遅延時間を補正した時刻を受光時刻として取得するように構成される。
【００８３】
この別実施形態では、コンピュータ本体２１の時刻生成部４４Ｔを備えた構成のほかは、実施形態の構成と変わるところはない。そして、このように構成したものでは、被写体特定タグＴにタイマーを備えずに済み構成を単純化してコストダウンを実現できる。
【００８４】
〔画像処理システムの変形例〕
この別実施形態では前述した実施形態の処理端末Ｂを用いずに、図１１に示すように、デジタルカメラＤの画像データを受付装置Ｃで取得し、この後、ユーザが被写体特定タグＴをカードリーダ３２に接近させることにより、前記実施形態と同様に、そのユーザが撮影されている可能性が高い画像データをソートして表示するように画像処理システムを構成している。
【００８５】
つまり、受付装置Ｃは、前述した実施形態と同様に、筐体３１にタッチパネル３３Ａを有したモニタ３３を備え、筐体３１にカードリーダ３２を備え、筐体３１の内部に制御ユニット３５を備え、筐体３１の外部に受信機２６を備えている。筐体３１の前面にはレシートｒｅにプリントを行うレシートプリンタ３６と、メディアドライブ３７とを備えている。この受付装置Ｃを支持するケース７０には、プリント処理ユニットＰと、料金精算ユニットＱとを備えている。
【００８６】
プリント処理ユニットＰはプリント媒体Ｐａに対して画像データをプリントして排出する。料金精算ユニットＱはコイン投入口７１、紙幣投入口７２等を有し、プリント料金を受領する処理を実現する。
【００８７】
受付装置Ｃの制御ユニット３５には、図１２に示すようにマイクロプロセッサＣＰＵに信号のアクセスを行う入出力インタフェース５１を備えており、この入出力インタフェース５１に対して受信機２６、モニタ３３、タッチパネル３３Ａ、メディアドライブ３７、レシートプリンタ３６、カードリーダ３２が接続している。
【００８８】
また、ＣＰＵのデータバスには、受信情報処理手段４４、受光時刻テーブル生成手段４５、画像データ取得手段５４、撮影時刻テーブル生成手段４７、カード情報取得手段５３、関連付手段４８、オーダ画面表示手段５６、オーダデータ取得手段５７、プリント制御手段７３、料金精算手段７４夫々が接続すると共に、ハードディスク５８が接続している。図面には示していないが、ＣＰＵのデータバスに半導体メモリが接続しており、オペレーティングシステムが制御の管理を行う。
【００８９】
受信情報処理手段４４は、受信機２６を介して受光確認信号を受信する毎に、受光確認信号に含まれる識別情報と受光時刻情報とを取得する。受光時刻テーブル生成手段４５は、識別情報と受光時刻情報とを関連付けた受光時刻テーブルを生成する。尚、この受光時刻テーブルは、識別情報をファイル名にしたＣＳＶ等のデータ構造のファイルであり、受信した識別情報の種類に対応した数だけ生成される。
【００９０】
画像データ取得手段５４は、メディアドライブ３７を介して画像データを取得する。撮影時刻テーブル生成手段４７は、各画像データのファイルのヘッダー領域に保存されているＥｘｉｆ情報から撮影時刻情報を取得する撮影時刻取得手段として機能し、この撮影時刻情報と、撮影時刻テーブルとから、撮影時刻情報で示される時刻に撮影された画像データのコマ番号（画像データのファイルに与えられた番号）とを関連付けた撮影時刻テーブルを生成する。
【００９１】
カード情報取得手段５３は、識別情報取得手段として機能するものであり、カードリーダ３２を介して被写体特定タグＴのメモリ１５に保存されている識別情報を取得する。このカード情報取得手段５３は、被写体特定タグＴに設定されている識別情報（ＩＤ）がタッチパネル３３Ａを介して入力された場合にも、その識別情報を取得する。
【００９２】
関連付手段４８は、受光時刻テーブルの受光時刻情報と撮影時刻テーブルの撮影時刻情報とを対比させ、受光時刻情報と一致又は近似する撮影時刻情報の画像データを抽出し、その識別情報を、その画像データのコマ番号に関連付ける関連付情報を生成する。この処理は、受光時刻テーブルの数だけ行われることから、複数の関連付情報が生成され、夫々の関連付情報には受光時刻テーブルの識別情報（ファイル名）と同じ識別情報が付される。
【００９３】
オーダ画面表示手段５６は、実施形態と同様に図７に示すオーダ画面６０をモニタ３３に表示し、オーダデータ取得手段５７はタッチパネル３３Ａを介してオーダデータを取得する。また、オーダ画面表示手段５６は、オーダ画面６０に対して識別情報に関連付けられた画像データのみを表示するソート表示モードでの表示、又は、図８に示すように、全ての画像データを表示可能にすると共に、表示された画像データに識別情報（オーダを行うユーザの識別情報）が関連付けられている場合には、その画像データを強調表示する一覧表示モードでの表示を行う。
【００９４】
プリント制御手段７３は、オーダデータをプリント処理ユニットＰに伝送し、このプリント制御手段７３においてプリント媒体に対するプリント処理を実現する。料金精算手段７４はオーダデータに基づいてプリント処理に必要な料金をモニタ３３に表示し、料金精算ユニットＱに対して料金の投入の有無の判別等を行う。
【００９５】
〔変形例の処理の流れ〕
この変形例では、前述した実施形態のように処理端末Ｂで処理を行わず、受付装置Ｃで受光確認信号を受信し、画像データを受付装置Ｃで取得した後に、この受付装置Ｃのカードリーダ３２識別情報を取得することで、実施形態と同様の処理が行われる。また、タイマー１４を備えた被写体特定タグＴを用いた画像処理システムの処理の流れの概要を図１４のフローチャートに示し、情報の流れを図１３のように示すことが可能である。
【００９６】
つまり、被写体特定タグＴを人物に装着し、デジタルカメラＤ撮影を行い、この撮影が終了した後に、このデジタルカメラＤで撮影に使用されたメディアＭを受付装置Ｃのメディアドライブ３７にセットして画像データを取得する。取得した画像データはハードディスク５８に保存されると共に、各画像データから撮影時刻情報が取得される（＃１０１〜＃１０５ステップ）。
【００９７】
特に、撮影が行われる（シャッターが切られる）毎に撮影領域に存在する人物Ａの被写体特定タグＴの受光素子Ｓがストロボ光を受光する。この受光時にはトリガー回路１１からの制御信号により情報送信部１２がタイマー１４から時刻情報を取得し、この時刻情報とメモリ１５の識別情報とを送信回路１３から送信する。この受光確認信号を受信機２６が受信した場合には、受付装置Ｃでは、受信した識別情報の数に対応した数の受光時刻テーブルが生成され、撮影時刻情報から撮影時刻テーブルが生成される。そして、撮影時刻テーブルと受光時刻テーブルとから関連付情報が作成される（＃１０６ステップ）。
【００９８】
次に、ユーザ（撮影された人物Ａ）が被写体特定タグＴを受付装置Ｃのカードリーダ３２に接近させ、このカードリーダ３２が被写体特定タグＴとアクセス可能な状態に達すると、カード情報取得手段５３が識別情報を要求し、受付装置Ｃは識別情報を取得する（＃１０７、＃１０８ステップ）。
【００９９】
カード情報取得手段５３は、ユーザがモニタ３３のタッチパネル３３Ａを操作し、被写体特定タグＴに設定されている識別情報（ＩＤ）を入力した場合にも、入力された識別情報を取得する処理を行う。この後、識別情報に基づいてモニタ３３にオーダ画面６０が表示され、このオーダ画面６０には、被写体特定タグＴを接近させて情報のアクセスを行った人物が撮影されている画像データが抽出され、ソート表示モードで表示される。
【０１００】
このオーダ画面６０の上端には、タイトルとしてユーザの名前と、そのユーザが撮影されている可能性が高いものを表示している旨のメッセージが表示される。そして、表示モード選択ボタン６８を選択した場合には、一覧表示モードでオーダ画面６０が表示される。このオーダ画面６０は、ページ切換ボタン６４を操作することにより、カメラマンが撮影した全ての画像データを表示することが可能となる。特に、この表示が行われる際には、オーダ画面６０のタイトルとして、ユーザの名前と、そのユーザが撮影されている可能性が高いものについて周囲を強調表示している旨のメッセージが表示される。
【０１０１】
この表示から必要とするものをユーザが選択することでオーダデータが取得される。オーダデータの取得が終了した場合には、モニタ３３にプリントに必要な料金の額が表示され、この表示に対応して料金精算ユニットＱに料金が支払われた場合に、プリント処理ユニットＰにオーダデータが伝送されプリント処理が行われる。
【０１０２】
〔実施形態の効果〕
このように本発明では、ストロボ光を受光した際に被写体特定タグＴが受光確認信号を電波で送信するように構成している。従って、この被写体特定タグＴを複数の人物に装着した状態でストロボ発光器Ｄｓを有したデジタルカメラＤで撮影を行うことにより、被写体特定タグＴからの受光確認信号を受信することで受光時刻を取得できる。また、被写体特定タグＴは被写体としての人物Ａの正面側に装着されるので、撮影時にデジタルカメラＤに背を向けた姿勢の人物Ａの被写体特定タグＴは受光確認信号を送信しない。
【０１０３】
この後に、受信した受光時刻情報と、デジタルカメラＤから取得した画像データのＥｘｉｆ情報から取得した撮影時刻情報とから生成した関連付情報に基づいて、その被写体特定タグＴを装着した人物が撮影された画像データを複数の画像データから抽出してモニタ３３に表示することが可能となる。
【０１０４】
この判断を受付装置Ｃで行うことにより、受付装置Ｃでユーザが被写体特定タグＴをカードリーダ３２に接近させて情報のアクセスを行うことや、識別情報を入力するだけで、受付装置Ｃのモニタ３３にオーダ画面６０が表示されると共に、このオーダ画面６０にはユーザが撮影されている可能性が高い画像データがソートして表示されることになり、ユーザは自分が撮影されていない画像データのチェックを行うと云う無駄な操作を行わずに済む。
【０１０５】
〔別実施形態〕
本発明は、上記した実施の形態以外に以下のように構成しても良い。
【０１０６】
（ａ）コンピュータ本体２１のうち複数の被写体特定タグＴからの受光確認信号を受信して処理を行う構成をデジタルカメラＤに組み込み、受光確認信号から抽出した識別情報を画像データのヘッダー領域に書き込む処理を行うように構成する。
【０１０７】
このようにデジタルカメラＤで撮影が行われる毎に、画像データに撮影されている人物の識別情報が書き込まれることになり、識別情報と画像データとを関連付ける処理を行わずとも、ユーザが識別情報を指定するだけで、モニタ３３に対してユーザが撮影されている可能性が高い画像をソートして表示する処理が実現する。
【０１０８】
（ｂ）実施形態の処理として、処理端末Ｂでは被写体特定タグＴのタイマー１４の時刻の調整を行わず、夫々の被写体特定タグＴと正確な時刻との誤差の値でだけ記憶し、この誤差の値を識別情報に関連付けて受付装置Ｃに伝送するように処理形態を設定する。
【０１０９】
このように処理形態を設定することにより、被写体特定タグＴのタイマー１４の値を調整しなくとも、撮影時刻情報と受光時刻情報とに基づいて関連付情報の生成が可能となる。
【０１１０】
（ｃ）被写体特定タグＴとして、電気的な端子を有するものを用い、例えば、メディアドライブに挿入することによって、受光時刻情報と識別情報とを伝送できるように構成する。このように構成することにより、カードリーダを用いずに、メディアドライブを用いて簡便にシステムを構成できる。
【０１１１】
（ｄ）デジタルカメラＤの撮影にズームレンズを用いる場合には、ズームレンズの焦点距離に対応してストロボ発光器Ｄｓの発光領域を調整できるものを用いる。この調整としては光源の前面位置に、例えば、集光レンズやディフューザ等を位置調節自在に備え、ズームレンズの調節に対応して集光レンズやディフューザ等による集光・拡散の程度を変更することで対応できる。
【０１１２】
（ｅ）デジタルカメラＤで撮影された画像データの撮影時刻情報と、被写体特定タグＴのタイマー１４の値との誤差をできるだけ小さくするため、例えば、人物の撮影を開始する以前にデジタルカメラＤで被写体特定タグＴだけを撮影する。この撮影時に送信された受光確認信号から受光時刻情報を取得して誤差を求め、この誤差の値だけタイマー１４の時刻の調整を行う。この調整を行うことにより、デジタルカメラＤの撮影時刻情報と被写体特定タグＴの受光時刻情報との誤差を極めて小さいものにできる。
【０１１３】
（ｆ）複数のデジタルカメラＤで撮影された画像データについて関連付けを行えるように関連付手段４８を構成する。この場合、複数のデジタルカメラＤで撮影された画像データを１つのフォルダに保存する等、同じディレクトリに保存することにより、デジタルカメラＤで撮影された画像データ毎に関連付けを行うように処理形態を設定することが考えられる。
【０１１４】
（ｇ）撮影を生業とするカメラマンが撮影を行うのではなく、パーティ等に参加している人物が持参したデジタルカメラＤの画像データを取得しても良い。このようにシステムを構成した場合にも、処理形態は実施形態や、実施形態の変形例と基本的に変わるものではなく、同様の処理で済む。更に、パーティ等に参加している複数の人物が持参したデジタルカメラＤを用いても良い。この場合、上述したように複数のデジタルカメラＤに対応した処理を行うことが考えられる。
【図面の簡単な説明】
【０１１５】
【図１】画像処理システムの構成を示す図
【図２】被写体特定タグの構成を示すブロック図
【図３】被写体特定タグの斜視図
【図４】画像処理システムの構成を示すブロック図
【図５】画像処理システムにおいて情報の流れを示す図
【図６】画像処理システムの処理の流れを示すフローチャート
【図７】ソート表示モードにおけるオーダ画面を示す図
【図８】一覧表示モードにおけるオーダ画面を示す図
【図９】別実施形態の被写体特定タグの構成を示すブロック図
【図１０】別実施形態の処理端末の構成を示すブロック図
【図１１】画像処理システムの変形例の構成を示す図
【図１２】画像処理システムの変形例の構成を示すブロック図
【図１３】画像処理システムの変形例において情報の流れを示す図
【図１４】画像処理システムの変形例の処理の流れを示すフローチャート
【符号の説明】
【０１１６】
１２          送信手段（情報送信部）
１４          タイマー
２６          受信手段（受信機）
３３          モニタ
３３Ａ        入力端末（タッチパネル）
４４Ｔ        時刻生成部
４７          撮影時刻取得手段（撮影時刻テーブル生成手段）
４８          関連付手段
５４          画像データ取得手段
５６          オーダ画面表示手段
５７          オーダデータ取得手段
Ｄ            デジタルカメラ
Ｓ            受光素子
Ｔ            被写体特定タグ
【図１】
2010147891.tif 000003
【図２】
2010147891.tif 000004
【図３】
2010147891.tif 000005
【図４】
2010147891.tif 000006
【図５】
2010147891.tif 000007
【図６】
2010147891.tif 000008
【図７】
2010147891.tif 000009
【図８】
2010147891.tif 000010
【図９】
2010147891.tif 000011
【図１０】
2010147891.tif 000012
【図１１】
2010147891.tif 000013
【図１２】
2010147891.tif 000014
【図１３】
2010147891.tif 000015
【図１４】
2010147891.tif 000016